(57)【要約】【課題】  ワンタッチダイヤル登録に関する制約によらず、ＩＰ電話機と組み合わされたコンピュータ装置からワンタッチで発信先の電話番号を選択してＩＰ電話機に発信処理を行わせることができるＩＰ電話機システムを提供する。【解決手段】  ＩＰ電話機システムはＩＰ電話機１２と、ＩＰ電話機１２に接続されるコンピュータ装置１７とからなる。コンピュータ装置１７は、電話番号データベース４１と、前記電話番号データベース４１に蓄積された電話番号のリストをディスプレイ５０に表示して任意の電話番号を選択させ、前記ＩＰ電話機１２に送信する電話番号選択手段４２とを備え、ＩＰ電話機１２は、前記電話番号を受信する電話番号受信手段３４と、発信切り替え手段３２とを備え、電話番号受信手段３４が電話番号を受信した際に、発信切り替え手段３２が当該電話番号を発信先の電話番号として切り替える。【選択図】        図２
2006054586.tif 000002
【特許請求の範囲】
【請求項１】
ＩＰ電話機と該ＩＰ電話機に接続されるコンピュータ装置とからなるＩＰ電話機システムであって、
前記コンピュータ装置は、電話番号データベースと、前記電話番号データベースに蓄積された電話番号のリストをディスプレイに表示して任意の電話番号を選択させ、前記ＩＰ電話機に送信する電話番号選択手段とを備え、
前記ＩＰ電話機は、前記電話番号を受信する電話番号受信手段と、発信切り替え手段とを備え、前記電話番号受信手段が電話番号を受信した際に、前記発信切り替え手段が当該電話番号を発信先の電話番号として切り替えることを特徴とするＩＰ電話機システム。
【請求項２】
前記コンピュータ装置は、更に、前記電話番号選択手段から起動される電話番号検索手段を備え、該電話番号検索手段は電話番号検索画面を表示し、電話番号検索画面から入力された検索条件に従って、前記電話番号データベースを検索することを特徴とする請求項１に記載のＩＰ電話機システム。
【請求項３】
前記電話番号選択手段は、アプリケーションプログラムで構成され、前記コンピュータ装置が動作状態にある時は、常に動作状態にされ、ディスプレイに表示される所定の画像を操作することによって直ちに起動することを特徴とする請求項１または２に記載のＩＰ電話機システム。
【発明の詳細な説明】
【技術分野】
【０００１】
本発明は、ＩＰ電話システムに接続されるＩＰ電話機システムに関するものであり、特に、ＩＰ電話機と組み合わされたパーソナルコンピュータなどのコンピュータ装置からワンタッチで発信先の電話番号を選択してＩＰ電話機に発信処理を行わせることができるようにしたＩＰ電話機システムに関するものである。
【背景技術】
【０００２】
近年の通信、情報処理技術の発展によりインターネット網を用いたＩＰ電話システムが普及してきており、通常の通信事業者（キャリア）の提供する電話回線網を使用した通信に比べ通信コストを抑制できることから企業等においてもＩＰ電話システムを導入する機運が高まってきており、今後もその利用が拡大するものと考えられている。
【０００３】
ＩＰ電話機は、アナログ音声をデジタル音声データに変換する変換機能を有し音声や映像の送受信が可能である。これらのデータの送受信に関してはＳＩＰ（Ｓｅｓｓｉｏｎ  Ｉｎｉｔｉａｔｉｏｎ  Ｐｒｏｔｏｃｏｌ）サーバ、設定管理サーバ、ゲートキーパ、コールエージェント等のインターネット電話用のネットワーク管理サーバ、もしくはパソコンがＩＰ電話機の動作を管理しており、現在ＩＰ電話機が単独でインターネットに接続されてはいない。
【０００４】
これらのインターネット電話用サーバは、使用しているプロトコルにより呼び方が異なっているが、基本的には端末であるＩＰ電話機の登録、接続先の解決、帯域や接続数の管理を行うものである。具体的には上記のような各種のネットワーク管理サーバが定期的もしくは非同期的にＩＰ電話機へアクセスしたり、ＩＰ電話機に定期的にアクセスさせたりして、各種設定値を送信すると共に、網アクセス制御、呼制御、端末間制御、データ送受信制御等を行う。
【０００５】
図８は、一般的なＩＰ電話機１の外観を示す図である。図８に示すように一般的なＩＰ電話機１は、ディスプレイパネルによる表示部２、プッシュボタンによりなる複数のテンキー５と、各種機能を指定する機能キー４、および、回線選択用ラインキーなどのセレクトキー３からなる入力手段が設けられている。図８において、参照符号６は通話のためのハンドセット（受話器）である。ＩＰ電話機１を使用して発信する場合、ハンドセットを上げて、テンキー５を操作して発信先の電話番号を入力する（ダイヤルする）。
【０００６】
通常の加入者電話機でも同様であるが、よく通話する発信先の電話番号は、短縮ダイヤル設定、いわゆるワンタッチダイヤル設定をしておき、設定したテンキーや機能ボタン１つを操作することにより当該キーに対応付けて登録した電話番号に自動的に発信する機能付加されている。現在の一般的な加入者電話機、ＩＰ電話機などにおいては、２４個のキーを持つものが多い。キーに登録した電話番号あるいは相手先の名前などの表記は、キー付近のシートスペースに書き込む方法がとられるのが一般的である。
【０００７】
このようなワンタッチダイヤル機能を有する電話機は、例えば、下記の特許文献１（特開平７−５８８２４号公報）に開示されている。この電話機は、ダイヤルキーと、ワンタッチダイヤルキーとを設け、また、ダイヤルキーから入力された電話番号のダイヤルデータを保持するダイヤルバッファ用メモリと、ワンタッチダイヤルキーに登録される電話番号のダイヤルデータを保持するワンタッチダイヤル用メモリとを設けたものである。ワンタッチバッファ用メモリに、ダイヤルキーから入力された電話番号のダイヤルデータが保持されている場合に、ワンタッチダイヤルキーを押したときには、ワンタッチバッファ用メモリに保持されているダイヤルデータを、ワンタッチダイヤル用メモリに転送する。オフフック状態の場合に、ワンタッチダイヤルキーを押したときには、ワンタッチダイヤル用メモリに保持されているダイヤルデータを読み出し、この読み出したダイヤルデータに従ったダイヤル信号を電話回線に送り出すようにしたものである。
【特許文献１】特開平７−５８８２４号公報（図１、段落［０００４］〜［０００６］）
【発明の開示】
【発明が解決しようとする課題】
【０００８】
しかしながら、図８に示す一般的な電話機や上記特許文献１に開示された電話機においては、ワンタッチダイヤル登録する操作が必要である。すなわち、ワンタッチダイヤル機能を有効に使用できるようにするには、当然のことながら、ワンタッチダイヤルキーに、相手の電話番号をあらかじめ登録しておく必要がある。その登録を行うには、ワンタッチ
ダイヤルキーが複数あるとすれば、待機時（電話機を使用していないとき）に、１・登録キーを押す。２・登録するキーを押す。３・登録する相手の電話番号をダイヤルキーにより入力する。４・登録キーを押す。というキー操作を行う必要がある。従って、電話機にワンタッチダイヤル機能を用意する場合には、ワンタッチダイヤルキー以外に、登録キーを設ける必要がある。
【０００９】
また、電話機に設けられているキーの数が、例えば、２４個であり、ワンタッチダイヤル機能を利用して登録する電話番号を増やすには、キーの数を増やす必要が生じる。キーの数を増やす場合には機器が大型化し、回路、機構の増加に伴いコスト増を招くという問題点が存在する。
【００１０】
キーに登録した相手先の電話番号や名前などの表記は、キー付近のシートスペースに書き込むのが一般的であるが、スペースが狭く、限られており記載しづらいうえ宛て先に関するその他の情報もスペースの関係で記載が困難であるという問題点も存在していた。
また、画面に複数の宛て先を表示し、宛て先の表示位置に対応するキーやカーソルキーにより宛て先を選択する装置が販売されているが、電話機の表示画面が狭いという問題点が存在していた。
【００１１】
本発明は、上記問題点に鑑み、ワンタッチダイヤル登録に関する制約によらず、ＩＰ電話機と組み合わされたパーソナルコンピュータなどのコンピュータ装置からワンタッチで発信先の電話番号を選択してＩＰ電話機に発信処理を行わせることができるようにしたＩＰ電話機システムを提供することを目的とする。
【課題を解決するための手段】
【００１２】
前記課題を解決するために、本願の請求項１にかかる発明は、
ＩＰ電話機と該ＩＰ電話機に接続されるコンピュータ装置とからなるＩＰ電話機システムであって、
前記コンピュータ装置は、電話番号データベースと、前記電話番号データベースに蓄積された電話番号のリストをディスプレイに表示して任意の電話番号を選択させ、前記ＩＰ電話機に送信する電話番号選択手段とを備え、
前記ＩＰ電話機は、前記電話番号を受信する電話番号受信手段と、発信切り替え手段とを備え、前記電話番号受信手段が電話番号を受信した際に、前記発信切り替え手段が当該電話番号を発信先の電話番号として切り替えることを特徴とする。
【００１３】
また、本願の請求項２にかかる発明は、請求項１にかかる発明において、前記コンピュータ装置は、更に、前記電話番号選択手段から起動される電話番号検索手段を備え、該電話番号検索手段は電話番号検索画面を表示し、電話番号検索画面から入力された検索条件に従って、前記電話番号データベースを検索することを特徴とする。
【００１４】
また、本願の請求項３にかかる発明は、請求項１または２にかかる発明において、前記電話番号選択手段は、アプリケーションプログラムで構成され、前記コンピュータ装置が動作状態にある時は、常に動作状態にされ、ディスプレイに表示される所定の画像を操作することによって直ちに起動することを特徴とする。
【発明の効果】
【００１５】
請求項１にかかる発明においては、ＩＰ電話機システムはＩＰ電話機と該ＩＰ電話機に接続されるコンピュータ装置とからなり、コンピュータ装置は、電話番号データベースに蓄積された電話番号のリストをディスプレイに表示して任意の電話番号を選択させ、ＩＰ電話機に送信する電話番号選択手段とを備え、ＩＰ電話機は、コンピュータ装置から電話番号を受信すると、発信切り替え手段が当該電話番号を発信先の電話番号として切り替えて発信する。従って、ＩＰ電話機の利用者はコンピュータ装置を使用してワンタッチで所望の発信先電話番号を指定してＩＰ電話機に発信させることができるようになる。
【００１６】
このため、ＩＰ電話機にワンタッチダイヤル登録するための機構等を増大させることなくコンピュータ装置の電話番号データベースに所望の数の電話番号を登録することができるようになる。また、コンピュータ装置の広いディスプレイを使用すれば、より多くの宛て先を一度に表示させることができるようになる。
【００１７】
請求項２にかかる発明においては、請求項１にかかる発明において、コンピュータ装置は、更に、電話番号選択手段から起動される電話番号検索手段を備え、該電話番号検索手段は電話番号検索画面を表示し、電話番号検索画面から入力された検索条件に従って、前記電話番号データベースを検索する。従って、電話番号データベースに登録する電話番号が多くなっても、容易に任意の電話番号を選択することができるようになる。そして、ＩＰ電話機の利用者はコンピュータ装置を使用してワンタッチで所望の発信先電話番号を指定してＩＰ電話機に発信させることができるようになる。また、ＩＰ電話機にワンタッチダイヤル登録するための機構等を増大させることなくコンピュータ装置の電話番号データベースに所望の数の電話番号を登録することができるようになる。
【００１８】
請求項３にかかる発明においては、請求項１または２にかかる発明において、電話番号選択手段は、アプリケーションプログラムで構成され、前記コンピュータ装置が動作状態にある時は、常に動作状態にされ、ディスプレイに表示される所定の画像を操作することによって直ちに起動する。従って、ＩＰ電話機の利用者はコンピュータ装置を使用してワンタッチで所望の発信先電話番号を指定してＩＰ電話機に発信させることができるようになる。
【発明を実施するための最良の形態】
【００１９】
以下、本発明の具体例を実施例及び図面を用いて詳細に説明する。図１は、本発明にかかるＩＰ電話機システムが適用されるＩＰ電話システムのシステム構成図である。図２は、本発明の実施例にかかるＩＰ電話機システムの構成を示すブロック図である。図３は、本発明の実施例にかかるＩＰ電話機システムの動作手順を示すフローチャートである。図７は、本発明の実施例にかかるＩＰ電話機システムの他の動作手順を示すフローチャートである。
【実施例】
【００２０】
本発明の実施例にかかるＩＰ電話機システムが適用されるＩＰ電話機システム１０は、図１に示すように、ＬＡＮ１１とＬＡＮ１１に接続されるＩＰ電話機１２ａ〜１２ｄおよび各ＩＰ電話機１２ａ〜１２ｄに接続されるパーソナルコンピュータなどのコンピュータ装置１７ａ〜１７ｄと、ＬＡＮ１１に接続されるゲートウェイ（以下、ＧＷと記す）１３と、ＬＡＮ１１に接続されるＳＩＰサーバ１４とから構成される。また、ＧＷ１３は公衆回線電話交換網（以下、ＰＳＴＮと記す）１５と接続される。また、ＬＡＮ１１はＶＰＮ（Ｖｉｒｔｕａｌ  Ｐｒｉｖａｔｅ  Ｎｅｔｗｏｒｋ）やインターネットなどのネットワーク１６と接続される。
【００２１】
ＩＰ電話機１２ａ〜１２ｄは、固有の電話番号とＩＰアドレスを有し、ＧＷ１３およびＳＩＰサーバ１４のＩＰアドレスを記憶している。またＩＰ電話機１２ａ〜１２ｄ（以下、１台のＩＰ電話機を説明する場合、単にＩＰ電話機１２という）は複数の音声コーデックを備え、通信相手と共通な音声コーデックを用いることで通信可能となる。
【００２２】
ＧＷ１３は、ＰＳＴＮ１５の局交換機（不図示）と接続するためのものであり、呼制御機能や音声符号化機能を備えている。ＩＰ電話機１２ａ〜１２ｄの何れかとＰＳＴＮ１５に接続される固定電話局（不図示）とが通話する際には、ＳＩＰサーバ１４，ＧＷ１３，ＰＳＴＮ１５を介して呼制御される。
【００２３】
ＳＩＰサーバ１４は、電話番号とＩＰアドレスの対応付けである番号翻訳を行い、着信時には、電話番号から対応するＩＰアドレスを有するＩＰ電話機を特定して着信通知を行う。ＩＰ電話機１２ａ〜１２ｄの何れか同士で通話する場合やネットワーク１６を介して接続される場合には、ＧＷ１３は経由せずＳＩＰサーバ１４のみを経由する。
【００２４】
コンピュータ装置１７ａ〜１７ｄは、接続を図示してはいないが、ＩＰ電話機１２ａ〜１２ｄを介することなくＬＡＮ１１に接続され、ＬＡＮ１１に接続された他の機器と通信し、あるいは、インターネット等のネットワーク１６と接続された各種サーバと通信して、所望の処理を行うことができる。
【００２５】
本発明の実施例にかかるＩＰ電話機システムは、図２に示すようにＩＰ電話機１２とコンピュータ装置１７とから構成されている。コンピュータ装置１７は、コンピュータ本体４０とディスプレイ５０とから構成され、コンピュータ本体４０には、電話番号ＤＢ（データベース）４１と、電話番号選択手段４２、電話番号検索手段４３が設けられている。電話番号選択手段４２と電話番号検索手段４３は、実体はコンピュータ本体４０にインストールされたアプリケーションプログラム（以下単にアプリケーションという）によって構成されている。電話番号選択手段４２は、電話番号ＤＢ４１に蓄積されている電話番号（対応する名前やその他の相手方情報）のリストをディスプレイ５０の電話番号表示画面５１に表示し、マウスなどの入力装置で選択された電話番号をＩＰ電話機１２に送信する機能を実行する。この電話番号選択手段４２であるアプリケーションは、コンピュータ装置本体４０が動作中にはバックグラウンドで常に動作しており、所定の画像、例えば、アイコンをマウスで選択してクリックすることで自動的に起動し、上記の処理を行うものである。
【００２６】
なお、電話番号検索手段（アプリケーション）４３は、必要に応じてコンピュータ本体４０にインストールされるものであり、電話番号選択手段４２から起動され、ディスプレイ５０に電話番号検索画面５２を表示し、ユーザが入力する条件、例えば、名前の頭文字などに基づいて、該当する電話番号を電話番号ＤＢ４１から該当する電話番号を検索してそのリストを電話番号表示画面５１に表示するものである。この機能は、電話番号ＤＢ４１の蓄積（登録）件数が多い場合に当該アプリケーションをインストールして電話番号選択手段４２と組み合わせて使用すると便利である。
【００２７】
一方、ＩＰ電話機１２は、音声出力のためのスピーカ２１、音声入力のためのマイク２２、音声コーデック２３を備えている。音声コーデック２３は音声の符号化と複合化、すなわち音声のアナログとデジタルの変換を行う他に、受話音量やマイクの感度変更の機能を備えている。ＩＰ電話機１２はまた、ディスプレイパネルによる表示部２４、操作入力のための操作部２６、発信処理手段３０を備えている。
【００２８】
操作部２６は、数字キー２６１と機能キー２６２を有しており、数字キー２６１は発信の際に相手方電話番号を入力する場合などに用いられる。機能キー２６２はＩＰ電話機１２の各種機能を選択するためのキーである。操作部２６によって操作された内容は表示部２４に表示される。発信処理手段３０は、制御手段３１、発信切り替え手段３２、発信手段３３、電話番号受信手段３４とから構成されている。制御手段３１は、例えば、マイクロプロセッサからなり、図示しないＲＯＭあるいはＥＥＰＲＯＭに格納された制御プログラムにより上記の各手段を制御するものである。この制御手段３１は、発信処理手段３０に専用に設けられたものでもよく、ＩＰ電話機１２の他の制御機能と兼用されるものであってもよい。
【００２９】
電話番号受信手段３４は、コンピュータ装置１７から送られる発信先の電話番号を受信して一時記憶するためのものである。通常、発信切り替え手段３２は、ＩＰ電話機１２の操作部２６から入力された発信先電話番号をネットワーク管理サーバに送信するように設定されているが、コンピュータ装置１７から送られる発信先の電話番号を電話番号受信手段３４が受信した場合には、発信切り替え手段３２が発信手段３３を動作させるように切り替え、該電話番号受信手段３４に一時記憶した発信先の電話番号をネットワーク管理サーバに送信する。
【００３０】
コンピュータ装置１７から送られる電話番号は、先に説明したように、電話番号選択手段４２を起動して電話番号表示画面５１に表示された電話番号のリストから、ユーザがマウスにより選択、決定した電話番号である。
【００３１】
図３は、以上のようなＩＰ電話機システムの発信処理の手順を示すフローチャートである。図３のフローチャートに示すように、先ず、コンピュータ装置１７において、ディスプレイ５０に表示された所定のアイコン（電話番号選択手段４２を選択するためのアイコン。図４参照）がクリックされると、ステップＳ２０において電話番号選択手段４２が起動され、電話番号選択手段４２は、電話番号ＤＢ４１に蓄積されている電話番号（対応する名前やその他の相手方情報）のリストをディスプレイ５０の電話番号表示画面５１に表示する。次いで、ステップＳ２１で、電話番号表示画面５１に表示された電話番号リストから任意の発信先電話番号がマウスなどの入力装置で選択されると、ステップＳ２２において電話番号選択手段４２は、選択された発信先の電話番号をＩＰ電話機１２に送信する。
【００３２】
尚、図４〜図５はコンピュータ装置１７のディスプレイ５０の表示例を示す図である。ディスプレイ５０にはＧ１〜Ｇ７のグループ分けされた宛て先のアイコンと、マウスにより移動するカーソルが表示される。図４に示す如く、カーソル移動に伴い、カーソルが示す宛て先の詳細情報（名前、電話番号、郵便番号、住所、分類、顔の画像）を自動的に表示する。図５に示す如く、右クリックすると、編集の表示を行い、削除や新規作成などの編集をすることができる。図６に示す如く、左クリック（通常のクリック）をすると、ダイヤル発信の表示をし、前述のステップＳ２１の動作を行う。このように、小さなアイコンにより多くの宛て先を表示することができ、また、夫々の名前や電話番号などをダイヤル発信前に確認することができる。
【００３３】
以上のようにしてコンピュータ装置１７からＩＰ電話機１２に発信先の電話番号が送られると、ＩＰ電話機１２側では、先ずステップＳ２３において電話番号受信手段３４が電話番号を受信して一時記憶する。次いで、ステップＳ２４において発信切り替え手段３２は発信先を電話番号受信手段３４が受信して一時記憶している電話番号に切り替え、ステップＳ２５で発信手段３３が当該電話番号を発信先としてネットワーク管理サーバに送信する。
【００３４】
図７は、本発明にかかるＩＰ電話機システムの発信処理の他の手順を示すフローチャートである。この処理手順は、コンピュータ装置１７に電話番号検索手段（アプリケーション）４３がインストールされている場合の手順である。先ず、コンピュータ装置１７において、ディスプレイ５０に表示された所定のアイコン（電話番号選択手段４２を選択するためのアイコン）がクリックされると、ステップＳ３０において電話番号選択手段４２が起動され、その初期画面で電話番号検索手段４３が起動されるとステップＳ３１においてディスプレイ５０に電話番号検索画面５２が表示される。この画面で検索条件、例えば、電話番号ＤＢ４１に蓄積された名前の頭文字が指定されると、ステップＳ３２において電話番号検索手段４３は電話番号ＤＢ４１を検索し、ステップＳ３３において検索した電話番号のリストがディスプレイ５０の電話番号表示画面５１に表示される。
【００３５】
次いで、ステップＳ３４で、電話番号表示画面５１に表示された電話番号リストから任意の発信先電話番号がマウスなどの入力装置で選択されると、ステップＳ３５において、電話番号選択手段４２は、選択された発信先の電話番号をＩＰ電話機１２に送信する。
【００３６】
この後のＩＰ電話機１２側の処理手順は、図３の手順と同様である。すなわち、コンピュータ装置１７からＩＰ電話機１２に発信先の電話番号が送られると、ＩＰ電話機１２側では、ステップＳ３６において電話番号受信手段３４が電話番号を受信して一時記憶する。次いで、ステップＳ３７において発信切り替え手段３２は発信先の電話番号を電話番号受信手段３４が受信して一時記憶している電話番号に切り替え、ステップＳ３８で発信手段３３が当該電話番号を発信先としてネットワーク管理サーバに送信する。
【産業上の利用可能性】
【００３７】
以上、詳細に説明したように、本発明にかかるＩＰ電話機システムは、ＩＰ電話機に接続されるコンピュータ装置に、電話番号ＤＢとコンピュータ装置が起動状態で常時動作する電話番号選択手段（アプリケーション）を備え、ワンタッチで電話番号選択手段を起動し電話番号ＤＢに蓄積された電話番号をリスト表示させ、その中から任意の発信電話番号を選択してＩＰ電話機に送りＩＰ電話機が当該電話番号を発信先として発信するものである。
【００３８】
従って、ワンタッチダイヤルの発信操作がコンピュータ装置から極めて簡単にできるようになる。また、ワンタッチダイヤル登録のためにＩＰ電話機のキー数を増加させることなく、電話番号ＤＢに容易に任意の数の発信先電話番号を登録することができるようになる。更に、発信先の電話番号に関する名前やその他の付帯情報も電話番号ＤＢに任意に蓄積でき、ディスプレイに表示することができるため、発信先電話番号の選択が容易になる。すなわち、本発明によれば、このような種々の利点を有するＩＰ電話機システムを提供することができるようになる。
【図面の簡単な説明】
【００３９】
【図１】本発明にかかるＩＰ電話機システムが適用されるＩＰ電話システムのシステム構成図である。
【図２】本発明の実施例にかかるＩＰ電話機システムの構成を示すブロック図である。
【図３】本発明の実施例にかかるＩＰ電話機システムの動作手順を示すフローチャートである。
【図４】本発明の実施例にかかるＩＰ電話機システムのアイコン表示を示す図である。
【図５】本発明の実施例にかかるＩＰ電話機システムのアイコン表示を示す図である。
【図６】本発明の実施例にかかるＩＰ電話機システムのアイコン表示を示す図である。
【図７】本発明の実施例にかかるＩＰ電話機システムの他の動作手順を示すフローチャートである。
【図８】一般的なＩＰ電話機１の外観を示す図である。
【符号の説明】
【００４０】
１２・・・・ＩＰ電話機
２１・・・・スピーカ
２２・・・・マイク
２３・・・・音声コーデック
２４・・・・表示部
２６・・・・操作部
２６１・・・数字キー
２６２・・・機能キー
３０・・・・発信処理手段
３１・・・・制御手段
３２・・・・発信切り替え手段
３３・・・・発信手段
３４・・・・電話番号受信手段
１７・・・・コンピュータ装置
４０・・・・コンピュータ本体
４１・・・・電話番号ＤＢ（データベース）
４２・・・・電話番号選択手段
４３・・・・電話番号検索手段
５０・・・・ディスプレイ
５１・・・・電話番号表示画面
５２・・・・電話番号検索画面
【図１】
2006054586.tif 000003
【図２】
2006054586.tif 000004
【図３】
2006054586.tif 000005
【図４】
2006054586.tif 000006
【図５】
2006054586.tif 000007
【図６】
2006054586.tif 000008
【図７】
2006054586.tif 000009
【図８】
2006054586.tif 000010